(57)【要約】【課題】容器本体と注出口部材のシールを確実に行うことができ、液体漏れの心配の無い包装容器を提供する。【解決手段】包装容器は、角筒状胴部２１の上端に連なりかつ上端を開口させた頂部２３を有する紙主体積層体製容器本体１１と、頂部２３の開口縁部にはめ入れられてシールされたスカート５３を有する合成樹脂製注出口部材１２とを備えている。頂部２３は、切頭四角錐状に形成されている。スカート５３は、頂部２３の形状に対応する切頭四角錐状に形成されている。【選択図】  図２
2004155453.tif 000002
【特許請求の範囲】
【請求項１】
角筒状胴部の上端に連なりかつ上端を開口させた頂部を有する紙主体積層体製容器本体と、頂部の開口縁部にはめ入れられてシールされたスカートを有する合成樹脂製注出口部材とを備えている包装容器において、頂部が、切頭四角錐状に形成され、スカートが、頂部の形状に対応する切頭四角錐状に形成されており、頂部が、これのなす四角錐の４つの平面をそれぞれ形成するように順次連らなった第１〜第４頂壁パネルと、第１〜第４頂壁パネルの隣り合うもの同士間に２つ折りとなるように折込まれている第１〜第４折込パネルとを備えており、各折込パネルとこれに隣接する２つの頂壁パネルの境界に２つの折込スコア線が形成され、各折込パネルの２つ折りの折目となる部分に折目スコア線が形成されていることを特徴とする包装容器。
【請求項２】
２つの折込スコア線の下端部にスコア線無し部が形成されている請求項１に記載の包装容器。
【請求項３】
スコア線無し部に近接して、応力分散スコア線が折目スコア線と交差する方向にのびている請求項２に記載の包装容器。
【請求項４】
折込スコア線および折目スコア線が、横断面略Ｃ字状刻印によって形成されており、折込スコア線の刻印のなすＣ字の開口が外向きであり、折目スコア線の刻印のなすＣ字の開口が内向きである請求項１〜３のいずれか１つに記載の包装容器。
【請求項５】
第１頂壁パネルの幅方向中央部に、容器素材の自由縁部同士重ね合わせてシールされた縦シール部が形成されており、第１〜第４折込パネルのうち、第１および第４折込パネルが第１頂壁パネルの上に重ねられるように折曲られ、第２および第３折込パネルが第３頂壁パネルの上に重ねられるように折曲られており、
スカートが、第１〜第４頂壁パネルと対応する第１〜第４側壁を有しており、第１側壁外面に、縦シール部の厚みを吸収するための切欠と、第１および第４折込パネルの厚みを吸収するための切欠とが形成され、第３側壁外面に、第２および第３折込パネルの厚みを吸収するための切欠が形成されている請求項１〜４のいずれか１つに記載の包装容器。
【請求項６】
頂部構成部が、順次連なる第１〜第５頂部パネルを有しており、第１〜第５頂部パネルの隣り合うもの同士の境界に第１〜第４スコア線が形成され、第１〜第４スコア線のそれぞれの両側に、対応するスコア線の下端から上に行くにしたがって同スコア線から漸次互いに離隔していく２つずつの第５〜第８スコア線が形成されており、第５〜第８スコア線の下端部に第１〜第４スコア線無し部が形成されている容器用ブランク。
【請求項７】
第１〜第４スコア線無し部にそれぞれ近接して、第１〜第４応力分散スコア線が第１〜第４スコア線と交差する方向にのびている請求項６に記載の容器用ブランク。
【請求項８】
第１〜第４スコア線および第５〜第８スコア線が、横断面略Ｃ字状刻印によって形成されており、第１〜第４スコア線の刻印のなすＣ字の開口が内向きであり、第５〜第８スコア線の刻印のなすＣ字の開口が外向きである請求項６または７に記載の容器用ブランク。
【請求項９】
第２スコア線にそって、第１頂部パネルが第４頂部パネルに、第２頂部パネルが第３頂部パネルに重ね合わされるように折曲られるとともに、第４スコア線にそって、第５頂部パネルが第４頂部パネルに重ね合わされるように折曲られ、第１頂部パネルおよび第５頂部パネルの自由縁部同士が重ね合わされてシールされている請求項６〜８のいずれか１つに記載の容器用ブランク。
【発明の詳細な説明】
【０００１】
【発明の属する技術分野】
この発明は、包装容器、とくに、ジュースのような飲料を充填するのに適した包装容器およびこれを製造するためのブランクに関する。
【０００２】
【従来の技術】
従来、この種の包装容器としては、角筒状胴部の上端に連なりかつ上端を開口させた頂部を有する紙主体積層体製容器本体と、頂部の開口縁部にはめ入れられてシールされたスカートを有する合成樹脂製注出口部材とを備えており、頂部が、胴部と同形状の角筒状に形成され、スカートが、頂部の形状に対応する角筒状に形成されているものが知られている（例えば、特許文献１参照。）。
【０００３】
【特許文献１】
実開昭５７−１５９６４７号公報
【０００４】
【発明が解決しようとする課題】
上記包装容器では、液体漏れの無い容器を得ることは実際には非常に困難であると考えられる。とくに、頂部およびスカート間でシャープな直角の角部を構成するか所において液体漏れの無い耐密な接合を得ることは困難であることが明らかになっている。
【０００５】
この発明は、容器本体と注出口部材のシールを確実に行うことができ、液体漏れの心配の無い包装容器およびそのためのブランクを提供することにある。
【０００６】
【課題を解決するための手段】
この発明による包装容器は、角筒状胴部の上端に連なりかつ上端を開口させた頂部を有する紙主体積層体製容器本体と、頂部の開口縁部にはめ入れられてシールされたスカートを有する合成樹脂製注出口部材とを備えている包装容器において、頂部が、切頭四角錐状に形成され、スカートが、頂部の形状に対応する切頭四角錐状に形成されており、頂部が、これのなす四角錐の４つの平面をそれぞれ形成するように順次連らなった第１〜第４頂壁パネルと、第１〜第４頂壁パネルの隣り合うもの同士間に２つ折りとなるように折込まれている第１〜第４折込パネルとを備えており、各折込パネルとこれに隣接する２つの頂壁パネルの境界に２つの折込スコア線が形成され、各折込パネルの２つ折りの折目となる部分に折目スコア線が形成されていることを特徴とするものである。
【０００７】
この発明による包装容器では、頂部が、切頭四角錐状に形成され、スカートが、頂部の形状に対応する切頭四角錐状に形成されているから、頂部およびスカート間の角部が鈍角となっている。そのため、頂部およびスカートのシール部にシール圧を好適に作用させることができ、液体漏れの無い確実なシールを行うことができる。
【０００８】
さらに、頂部が、これのなす四角錐の４つの平面をそれぞれ形成するように順次連らなった第１〜第４頂壁パネルと、第１〜第４頂壁パネルの隣り合うもの同士間に２つ折りとなるように折込まれている第１〜第４折込パネルとを備えているから、頂部の全ての部分を平面で構成できるため、シールのためにさらに好都合となる。
【０００９】
さらに、各折込パネルとこれに隣接する２つの頂壁パネルの境界に２つの折込スコア線が形成され、各折込パネルの２つ折りの折目となる部分に折目スコア線が形成されているから、折込パネルの折込を容易に行うことができる。
【００１０】
また、２つの折込スコア線の下端部にスコア線無し部が形成されていると、２つの折込スコア線および折目スコア線が集中する部分に応力が集中することが防止でき、同部分に割れ等が発生することを防止できる。
【００１１】
さらに、スコア線無し部に近接して、応力分散スコア線が折目スコア線と交差する方向にのびていると、同応力の集中を一層効果的に防止できる。
【００１２】
また、折込スコア線および折目スコア線が、横断面略Ｃ字状刻印によって形成されており、折込スコア線の刻印のなすＣ字の開口が外向きであり、折目スコア線の刻印のなすＣ字の開口が内向きであると、折込パネルを無理なく折込むことができ、無理な折込による割れ等を防止できる。
【００１３】
また、第１頂壁パネルの幅方向中央部に、容器素材の自由縁部同士重ね合わせてシールされた縦シール部が形成されており、第１〜第４折込パネルのうち、第１および第４折込パネルが第１頂壁パネルの上に重ねられるように折曲られ、第２および第３折込パネルが第３頂壁パネルの上に重ねられるように折曲られており、スカートが、第１〜第４頂壁パネルと対応する第１〜第４側壁を有しており、第１側壁外面に、縦シール部の厚みを吸収するための切欠と、第１および第４折込パネルの厚みを吸収するための切欠とが形成され、第３側壁外面に、第２および第３折込パネルの厚みを吸収するための切欠が形成されていると、縦シール部および第１〜第４折込パネルの有無に係わらず、頂部およびスカートのシール面全体にわたって均一にシールをすることができる。
【００１４】
この発明による容器用ブランクは、頂部構成部が、順次連なる第１〜第５頂部パネルを有しており、第１〜第５頂部パネルの隣り合うもの同士の境界に第１〜第４スコア線が形成され、第１〜第４スコア線のそれぞれの両側に、対応するスコア線の下端から上に行くにしたがって同スコア線から漸次互いに離隔していく２つずつの第５〜第８スコア線が形成されており、第５〜第８スコア線の下端部に第１〜第４スコア線無し部が形成されているものである。
【００１５】
この発明による容器用ブランクでは、頂部構成部が、順次連なる第１〜第５頂部パネルを有しており、第１〜第５頂部パネルの隣り合うもの同士の境界に第１〜第４スコア線が形成され、第１〜第４スコア線のそれぞれの両側に、対応するスコア線の下端から上に行くにしたがって同スコア線から漸次互いに離隔していく２つずつの第５〜第８スコア線が形成されているから、１枚のブランクから、容器本体の頂部を切頭四角錐状に成形することができる。
【００１６】
さらに、第５〜第８スコア線の下端部に第１〜第４スコア線無し部が形成されているから、切頭四角錐状に成形された容器において、第１〜第４スコア線および第５〜第８スコア線が集中する部分に応力が集中することが防止でき、同部分に割れ等が発生することを防止できる。
【００１７】
さらに、第１〜第４スコア線無し部にそれぞれ近接して、第１〜第４応力分散スコア線が第１〜第４スコア線と交差する方向にのびていると、同応力の集中を一層効果的に防止できる。
【００１８】
また、第１〜第４スコア線および第５〜第８スコア線が、横断面略Ｃ字状刻印によって形成されており、第１〜第４スコア線の刻印のなすＣ字の開口が外向きであり、第５〜第８スコア線の刻印のなすＣ字の開口が内向きであると、第５〜第８スコア線によって挟まれた部分を無理なく折込むことができ、無理な折込による割れ等を防止できる。
【００１９】
また、第２スコア線にそって、第１頂部パネルが第４頂部パネルに、第２頂部パネルが第３頂部パネルに重ね合わされるように折曲られるとともに、第４スコア線にそって、第５頂部パネルが第４頂部パネルに重ね合わされるように折曲られ、第１頂部パネルおよび第５頂部パネルの自由縁部同士が重ね合わされてシールされていると、頂部構成部が角筒状に開きうるように扁平状に折り畳まれているため、頂部構成部が嵩張らない。
【００２０】
【発明の実施の形態】
この発明の実施の形態を図面を参照してつぎに説明する。
【００２１】
図１を参照すると、包装容器は、上端に開口を有する有底角筒状容器本体１１と、容器本体１１開口に被覆されている注出口部材１２と、注出口部材１２に取付られているキャップ１３とよりなる。
【００２２】
容器本体１１は、両面に熱可塑性樹脂層を有する１枚の紙主体積層体製板状ブランク（図８参照）の所要部分を折畳・シールすることにより組立られたもので、水平断面四角形の胴部２１と、胴部２１の下端に連なる平坦状底部２２と、胴部２１の上端に連なる切頭四角錐状頂部２３とよりなる。
【００２３】
頂部２３は、これのなす四角錐の４つの平面をそれぞれ形成するように順次連らなった第１〜第４頂壁パネル３１〜３４と、第１〜第４頂壁パネル３１〜３４の隣り合うもの同士間に２つ折りとなるように折込まれている第１〜第４折込パネル４１〜４４とを備えている。
【００２４】
第１頂壁パネル３１の幅方向中央部には縦シール４５が走っている。縦シール４５は、胴部２１および底部２２まで延在させられている。
【００２５】
注出口部材１２は、熱可塑性合成樹脂によって一体成型されたもので、注出筒５１と、注出筒５１の下端から水平に広がって四角形の外周をもつ天板５２と、天板５２の外周から垂下させられているスカート５３とを備えている。
【００２６】
注出筒５１の外面には雄ねじ６１が形成されるとともに、雄ねじ６１の下方に環状外向き係合突条６３が形成されている。天板５２の外周縁部にはフランジ６２が設けられている。
【００２７】
スカート５３は、容器頂部２３の内面に合致させられた外面をもつ切頭四角錐状に形成されたもので、容器頂部２３の第１〜第４頂壁パネル３１〜３４の上部にそれぞれ重合わされてシールされている第１〜第４側壁７１〜７４を有している。
【００２８】
第１側壁７１外面の右部には第１折込パネル用切欠８１が、その左部には第４折込パネル用切欠８２がそれぞれ形成されるとももに、これらの両切欠８１、８２の間には縦シール用切欠８３が形成されている。第３側壁７３外面の右部には第２折込パネル用切欠８４が、その左部には第３折込パネル用切欠８５がそれぞれ形成されている。
【００２９】
第１〜第４側壁７１〜７４の下部には上下２条の溶融リブ９１、９２がスカート５３を一巡するように形成されている。これらのリブ９１、９２は、切欠８１〜８５のあるところでは、切欠８１〜８５の底をのびている。切欠８１〜８５の有るところと、無いところでは段差が生じているため、その境界部分ではリブ９１、９２は途切れている。
【００３０】
キャップ１３は、天蓋付円筒状のもので、雄ねじ６１をねじ入れた雌ねじ１０１が内周面に形成されている。キャップ１３の下縁部には残置リング１０２が易破断連結部１０３を介して連設されている。残置リング１０２の内面には複数の内向き係合突起１０４が断続状に形成され、これが、外向き係合突条６３に下側から係合させられている。
【００３１】
容器の開封に際しては、ねじ緩める方向にキャップ１３を回転させると、雄ねじ６１および雌ねじ１０１の作用によって、キャップ１３は持上げられようとするが、外向き係合突条６３および内向き係合突起１０４によって、残置リング１０２はその場に置かれたままとなるため、連結部１０３が破断される。そして、キャップ１３のみが注出筒５１から取外される。したがって、容器が一旦開封されると、キャップ１３および残置リング１０２が切離されるため、容器が開封されたか否かが一目で分かるようになっている。これは、いたずら防止等に役立つ。
【００３２】
図８は、ブランクを容器内面となる側から見たものを示している。ブランクには、これを角筒状に折曲げるための第１〜第４縦スコア線２０１〜２０４が右から左にかけて順次縦断するように形成されている。第１〜第４縦スコア線２０１〜２０４によって、ブランクは、右から左にかけて順次連なる第１〜第５パネル２１１〜２１５に区画されている。第１および第５パネル２１１、２１５の幅が同一であり、第２〜第４パネル２１２〜２１４の幅が同一である。前者の幅は、後者の幅のほぼ半分であるが、後者の幅の半分よりもシール代の分だけ大きい。
【００３３】
第１〜第５パネル２１１〜２１５の下部には第１〜第５底部横スコア線２２１〜２２５が右から左にかけて一直線状に連なるように形成されるとともに、第１〜第５パネル２１１〜２１５の上部には第１〜第５頂部横スコア線２３１〜２３５が右から左にかけて一直線状に連なるように形成されている。第１〜第５底部横スコア線２２１〜２２５によって、第１〜第５パネル２１１〜２１５が第１〜第５胴部パネル２４１〜２４５および第１〜第５底部パネル２５１〜２５５に区画されるとももに、第１〜第５頂部横スコア線２３１〜２３５によって、第１〜第５パネル２１１〜２１５が第１〜第５胴部パネル２４１〜２４５および第１〜第５頂部パネル２６１〜２６５に区画されている。第１〜第５胴部パネル２４１〜２４５が胴部構成部２７１を、第１〜第５底部パネル２５１〜２５５が底部構成部２７２を、第１〜第５頂部パネル２６１〜２６５が頂部構成部２７３をそれぞれ形成している。
【００３４】
第１〜第５底部パネル２５１〜２５５の下縁部にそって第１〜第５シールスコア線２８１〜２８５が右から左にかけて一直線状に連なるように形成されている。第１〜第５シールスコア線２８１〜２８５によって、第１〜第５底部パネル２５１〜２５５が第１〜第５底壁パネル２９１〜２９５および第１〜第５シールパネル３０１〜３０５に区画されている。第２および第４底壁パネル２９２、２９４にはＶ字状第１および第２耳折スコア線３１１、３１２が形成されている。第２および第４シールパネル３０２、３０４には、第１および第２耳折スコア線３１１、３１２の下端にそれぞれ連なる第１および第２折重スコア線３２１、３２２が横断状に形成されている。
【００３５】
第１〜第５縦スコア線２０１〜２０４における頂部構成部２７３をのびている部分は、第１〜第５折目スコア線３３１〜３３５を形成している。第１〜第５折目スコア線３３１〜３３５のそれぞれ両側を２つずつの第１〜第５折込スコア線３４１〜３４５が２つのものを合体させてＶ字となるようにのびている。すなわち、第１〜第５折込スコア線３４１〜３４５は、対応する第１〜第５折目スコア線３３１〜３３５の下端から上に行くにしたがって同第１〜第５折目スコア線３３１〜３３５から漸次離隔させられている。第１〜第５折込スコア線３４１〜３４５でそれぞれ挟まれた部分が第１〜第４折込パネル３５１〜３５４を形成し、第１〜第５頂部パネル２６１〜２６５の第１〜第４折込パネル３５１〜３５４以外の部分が第１〜第５頂壁パネル３６１〜３６５を形成している。第１〜第５折込パネル３５１〜３５４には、第１〜第５頂壁パネル３６１〜３６５の上縁よりもそれぞれ上方に突出させられた第１〜第５延長部３７１〜３７４が設けられている。
【００３６】
ここで注意することは、ブランクの第１〜第５頂壁パネル３６１〜３６５のうち、第２〜第４頂壁パネル３６２〜３６４は、容器の第２〜第４頂壁パネル３２〜３４をそのまま形成することになるが、ブランクの第１および第５頂壁パネル３６１、３６５を組合せたものが容器の第１頂壁パネル３１を形成する。
【００３７】
図９は、第１折目スコア線３３１および２つの第１折込スコア線３４１が集中する部分を示すものである。両第１折込スコア線３４１の下端部にはスコア線無し部３８１が形成されている。スコア線無し部３８１には応力分散スコア線３９１が第１折目スコア線３３１と交差するように形成されている。以上は、第１折目スコア線３３１および第１折込スコア線３４１について説明したが、第２〜第４折目スコア線３３２〜３３４および第２〜第４折込スコア線３４２〜３４４についても、同じように、スコア線無し部３８１および応力分散スコア線３９１が形成されている。
【００３８】
さらに、第１折目スコア線３３１および２つの第１折込スコア線３４１の横断面が図１０に示されている。これらのスコア線３３１、３４１は、横断面略Ｃ字状刻印によって形成されたものである。折目スコア線３３１の刻印のなすＣ字の開口が内向きであるのに対し、折込スコア線３４１の刻印のなすＣ字の開口が外向きとなっている。
【００３９】
板状ブランクは、つぎのようにして、扁平状に折畳まれた図７に示す筒状ブランクに形成される。第２縦スコア線２０２にそって、第２パネル２１２が第３パネル２１３に、第１パネル２１１が第４パネル２１４の右部にそれぞれ重合わされるように２つ折りにされるとともに、第４縦スコア線２０４にそって、第５パネル２１５が第４パネル２１４の左部に重合わされるように２つ折りにされる。そうすると、第４パネル２１４上において、第１パネル２１１および第５パネル２１５の自由縁部同士がシール代分だけ重ね合わされるため、その重合部をシールすることにより、縦シール４５を得る。その後、扁平筒状ブランクは、横断面四角形となるように開かれる。
【００４０】
頂部２３の成形に際しては、角筒状に開かれたブランクの第１〜第４折込スコア線３４１〜３４４にそって第１〜第４折込パネル３５１〜３５４を内側に折込んでいく。そうすると、第１〜第４折目スコア線３３１〜３３４のところを折目としながら、第１〜第４折込パネル３５１〜３５４は２つ折りとなる。２つ折りとなった第１および第４折込パネル３５１、３５４を、第１および第５頂壁パネル３６１、３６５上に重合わせるように倒すとともに、同第２および第３折込パネル３５２、３５３を、第３頂壁パネル３６３上に重合わせるように倒す。このようにして折込まれた頂部２３に注出口部材１２がセットされる。そうすると、第１〜第４頂壁パネル３１〜３４内面に第１〜第４側壁７１〜７４外面がそれぞれ当接させられ、第１〜第４折込パネル３５１〜３５４の上部が対応する切欠８１、８２、８４、８５に収容されるとともに、縦シール４５の上部も切欠８３に収容される。また、フランジ６２は、第１〜第４頂壁パネル３１〜３４の上端に当接させられる。この状態で、超音波シール装置によって頂部２３および注出口部材１２の接触部分がシールされる。シールに際し、リブ９１、９２はその全体または一部が溶融させられ、溶融材料によって頂部２３および注出口部材１２相互間の隙間が埋められる。図６には、リブ９１、９２の全てが溶融したものとして、その状態が示されている。
【００４１】
以上により、頂部２３および注出口部材１２の緊密シールが果たされる。この後、容器の上下を逆さまにした状態で、容器に内容物が充填される。内容物を充填した後、底部２２の閉鎖が行われる。
【００４２】
底部２２の閉鎖の仕方は周知であるから、簡単に説明すると、まず、第２および第４シールパネル３０２、３０４を２つ折りにして重ね合わせるとともに、第３シールパネル３０３と、第１および第５シールパネル３０１、３０５を重ね合わせ、これらのシールパネル３０１〜３０５を一文字状にシールする。第１および第２耳折スコア線３１１、３１２にそって第２および第４底壁パネル２９２、２９４を２つ折りにして一対の耳を形成しながら、底部構成部２７２全体を平坦状に成形する。両耳を底部構成部２７２の平坦部分に重ね合わせるように折曲げて、双方の重ね合わせた部分同士をシールする。
【００４３】
【発明の効果】
この発明によれば、容器本体と注出口部材のシールを確実に行うことができ、液体漏れの心配の無い包装容器が提供される。
【図面の簡単な説明】
【図１】この発明による容器の斜視図である。
【図２】同容器の頂部付近の分解斜視図である。
【図３】図２のＩＩＩ−ＩＩＩ線にそう水平断面図である。
【図４】図２のＩＶ−ＩＶ線にそう水平断面図である。
【図５】同容器の注出口部材の一部破断面を含む平面図である。
【図６】図１のＶＩ−ＶＩ線にそう水平断面図である。
【図７】この発明による筒状ブランクの斜視図である。
【図８】この発明による平板状ブランクの側面図である。
【図９】同ブランクの一部を拡大して示す側面図である。
【図１０】図９のＸ−Ｘにそう断面図である。
【符号の説明】
１１  容器本体
１２  注出口部材
１３  キャップ
２１  胴部
２２  底部
２３  頂部
５１  注出筒
５３  スカート
【図１】
2004155453.tif 000003
【図２】
2004155453.tif 000004
【図３】
2004155453.tif 000005
【図４】
2004155453.tif 000006
【図５】
2004155453.tif 000007
【図６】
2004155453.tif 000008
【図７】
2004155453.tif 000009
【図８】
2004155453.tif 000010
【図９】
2004155453.tif 000011
【図１０】
2004155453.tif 000012